【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
複数の処理を組み合わせて設定された処理フローを登録する処理フロー登録手段と、前記登録された処理フローに基づいて前記複数の処理を実行する実行手段とを備える画像処理装置において、
前記登録された処理フローの中に自機で実行不可能な処理が存在した場合に、前記処理フローの実行可否確認要求を他の画像処理装置に送信する実行可否確認要求送信手段と、前記処理フローの実行可否確認要求に対する実行可能応答を前記他の画像処理装置から受信する実行可能応答受信手段と、
前記実行可能応答を送信した前記他の画像処理装置の中から前記処理フローの転送先を決定する転送先決定手段と、
前記処理フローから、自機で実行可能な処理を含む第１の連携処理フローと、自機で実行不可能な処理を含む第２の連携処理フローとを生成する連携フロー生成手段と、
前記転送先決定手段により決定された転送先に前記第２の連携処理フローを転送する処理フロー転送手段と、
前記第１の連携処理フローを実行するためのボタンを表示する第１の連携処理フローボタン表示手段とを備えることを特徴とする画像処理装置。
【請求項２】
ユーザによって前記第１の連携処理フローを実行するためのボタンが押された場合に、前記実行手段により前記第１の連携処理フローが実行された後、前記転送先に対して前記第２の連携処理フローの実行指示を送信する実行指示送信手段を更に備えることを特徴とする請求項１記載の画像処理装置。
【請求項３】
前記転送先となる他の画像処理装置は、
前記処理フローの実行可否確認要求を受信する実行可否確認要求受信手段と、
前記処理フローが自機で実行可能であるかを判定する判定手段と、
前記判定手段により実行可能と判断された場合に、前記処理フローの実行可否確認要求の送信元に前記実行可能応答を送信する実行可能応答送信手段と、
前記実行可否確認要求の送信元から前記第２の連携処理フローを受信する処理フロー受信手段とを更に備えることを特徴とする請求項１または２記載の画像処理装置。
【請求項４】
前記転送先となる他の画像処理装置は、
前記第２の連携処理フローの実行指示を受信する実行指示受信手段と、
前記第２の連携処理フローを実行するためのボタンを表示するかどうかを判定するボタン表示判定手段と、
前記ボタン表示判定手段により表示すると判定された場合に、前記第２の連携処理フローを実行するためのボタンを表示する第２の連携処理フローボタン表示手段と、
前記ボタン表示判定手段により表示しないと判定された場合に、前記第２の連携処理フローを実行する第２の連携処理フロー実行手段とを更に備えることを特徴とする請求項３記載の画像処理装置。
【請求項５】
前記ボタン表示判定手段は、前記第２の連携処理フローの最終処理が印刷処理であるかどうかによって前記ボタンの表示／非表示を判定することを更に特徴とする請求項４記載の画像処理装置。
【請求項６】
前記第２の連携処理フローボタン表示手段は、前記第２の連携処理フローを実行するためのボタンを、他の処理フローを実行するためのボタンとは異なる形式で表示することを更に特徴とする請求項４または５記載の画像処理装置。
【請求項７】
前記画像処理装置は、前記実行指示送信手段により実行指示が送信された後、前記第２の連携処理フローの実行結果通知を待ち受ける実行結果通知待ち受け手段を更に備えることを特徴とする請求項２乃至６のいずれか１項に記載の画像処理装置。
【請求項８】
前記転送先となる他の画像処理装置は、前記第２の連携処理フロー実行手段により前記第２の連携処理フローが実行された後、当該実行結果を前記画像処理装置に通知する実行結果通知手段を更に備えることを特徴とする請求項７記載の画像処理装置。
【請求項９】
複数の処理を組み合わせて設定された処理フローを登録する処理フロー登録手段と、前記登録された処理フローに基づいて前記複数の処理を実行する実行手段とを備える画像処理装置において、
前記処理フローの実行可否確認要求を受信する実行可否確認要求受信手段と、
前記処理フローが自機で実行可能であるかを判定する判定手段と、
前記判定手段により実行可能と判断された場合に、前記処理フローの実行可否確認要求の送信元に前記実行可能応答を送信する実行可能応答送信手段と、
前記実行可否確認要求の送信元から自機で実行不可能な処理を含む連携処理フローを受信する処理フロー受信手段と、
前記連携処理フローの実行指示を受信する実行指示受信手段と、
前記連携処理フローを実行するためのボタンを表示するかどうかを判定するボタン表示判定手段と、
前記ボタン表示判定手段により表示すると判定された場合に、前記連携処理フローを実行するためのボタンを表示する連携処理フローボタン表示手段と、
前記ボタン表示判定手段により表示しないと判定された場合に、前記連携処理フローを実行する連携処理フロー実行手段とを備えることを特徴とする画像処理装置。
【請求項１０】
前記ボタン表示判定手段は、前記第２の連携処理フローの最終処理が印刷処理であるかどうかによって前記ボタンの表示／非表示を判定することを更に特徴とする請求項９記載の画像処理装置。
【請求項１１】
前記第２の連携処理フローボタン表示手段は、前記第２の連携処理フローを実行するためのボタンを、他の処理フローを実行するためのボタンとは異なる形式で表示することを更に特徴とする請求項１０記載の画像処理装置。
【請求項１２】
複数の処理を組み合わせて設定された処理フローを登録する処理フロー登録手段と、前記登録された処理フローに基づいて前記複数の処理を実行する実行手段とを備える画像処理装置の制御方法において、
前記登録された処理フローの中に自機で実行不可能な処理が存在した場合に、前記処理フローの実行可否確認要求を他の画像処理装置に送信する実行可否確認要求送信工程と、
前記処理フローの実行可否確認要求に対する実行可能応答を前記他の画像処理装置から受信する実行可能応答受信工程と、
前記実行可能応答を送信した前記他の画像処理装置の中から前記処理フローの転送先を決定する転送先決定工程と、
前記処理フローから、自機で実行可能な処理を含む第１の連携処理フローと、自機で実行不可能な処理を含む第２の連携処理フローとを生成する連携フロー生成工程と、
前記転送先決定工程にて決定された転送先に前記第２の連携処理フローを転送する処理フロー転送工程と、
前記第１の連携処理フローを実行するためのボタンを表示する第１の連携処理フローボタン表示工程とを備えることを特徴とする画像処理装置の制御方法。
【請求項１３】
複数の処理を組み合わせて設定された処理フローを登録する処理フロー登録手段と、前記登録された処理フローに基づいて前記複数の処理を実行する実行手段とを備える画像処理装置の制御方法において、
前記処理フローの実行可否確認要求を受信する実行可否確認要求受信工程と、
前記処理フローが自機で実行可能であるかを判定する判定工程と、
前記判定工程にて実行可能と判断された場合に、前記処理フローの実行可否確認要求の送信元に前記実行可能応答を送信する実行可能応答送信工程と、
前記実行可否確認要求の送信元から自機で実行不可能な処理を含む連携処理フローを受信する処理フロー受信工程と、
前記連携処理フローの実行指示を受信する実行指示受信工程と、
前記連携処理フローを実行するためのボタンを表示するかどうかを判定するボタン表示判定工程と、
前記ボタン表示判定工程にて表示すると判定された場合に、前記連携処理フローを実行するためのボタンを表示する連携処理フローボタン表示工程と、
前記ボタン表示判定工程にて表示しないと判定された場合に、前記連携処理フローを実行する連携処理フロー実行工程とを備えることを特徴とする画像処理装置の制御方法。
【請求項１４】
複数の処理を組み合わせて設定された処理フローを登録する処理フロー登録手段と、前記登録された処理フローに基づいて前記複数の処理を実行する実行手段とを備える画像処理装置の制御方法をコンピュータに実行させるためのプログラムにおいて、
前記登録された処理フローの中に自機で実行不可能な処理が存在した場合に、前記処理フローの実行可否確認要求を他の画像処理装置に送信する実行可否確認要求送信ステップと、
前記処理フローの実行可否確認要求に対する実行可能応答を前記他の画像処理装置から受信する実行可能応答受信ステップと、
前記実行可能応答を送信した前記他の画像処理装置の中から前記処理フローの転送先を決定する転送先決定ステップと、
前記処理フローから、自機で実行可能な処理を含む第１の連携処理フローと、自機で実行不可能な処理を含む第２の連携処理フローとを生成する連携フロー生成ステップと、
前記転送先決定ステップにて決定された転送先に前記第２の連携処理フローを転送する処理フロー転送ステップと、
前記第１の連携処理フローを実行するためのボタンを表示する第１の連携処理フローボタン表示ステップとを備えることを特徴とするプログラム。
【請求項１５】
複数の処理を組み合わせて設定された処理フローを登録する処理フロー登録手段と、前記登録された処理フローに基づいて前記複数の処理を実行する実行手段とを備える画像処理装置の制御方法をコンピュータに実行させるためのプログラムにおいて、  前記処理フローの実行可否確認要求を受信する実行可否確認要求受信ステップと、
前記処理フローが自機で実行可能であるかを判定する判定ステップと、
前記判定ステップにて実行可能と判断された場合に、前記処理フローの実行可否確認要求の送信元に前記実行可能応答を送信する実行可能応答送信ステップと、
前記実行可否確認要求の送信元から自機で実行不可能な処理を含む連携処理フローを受信する処理フロー受信ステップと、
前記連携処理フローの実行指示を受信する実行指示受信ステップと、
前記連携処理フローを実行するためのボタンを表示するかどうかを判定するボタン表示判定ステップと、
前記ボタン表示判定ステップにて表示すると判定された場合に、前記連携処理フローを実行するためのボタンを表示する連携処理フローボタン表示ステップと、
前記ボタン表示判定ステップにて表示しないと判定された場合に、前記連携処理フローを実行する連携処理フロー実行ステップとを備えることを特徴とするプログラム。
【手続補正２】
【補正対象書類名】明細書
【補正対象項目名】００１０
【補正方法】変更
【補正の内容】
【００１０】
上記目的を達成するために、請求項１記載の画像処理装置は、複数の処理を組み合わせて設定された処理フローを登録する処理フロー登録手段と、前記登録された処理フローに基づいて前記複数の処理を実行する実行手段とを備える画像処理装置において、前記登録された処理フローの中に自機で実行不可能な処理が存在した場合に、前記処理フローの実行可否確認要求を他の画像処理装置に送信する実行可否確認要求送信手段と、前記処理フローの実行可否確認要求に対する実行可能応答を前記他の画像処理装置から受信する実行可能応答受信手段と、前記実行可能応答を送信した前記他の画像処理装置の中から前記処理フローの転送先を決定する転送先決定手段と、前記処理フローから、自機で実行可能な処理を含む第１の連携処理フローと、自機で実行不可能な処理を含む第２の連携処理フローとを生成する連携フロー生成手段と、前記転送先決定手段により決定された転送先に前記第２の連携処理フローを転送する処理フロー転送手段と、前記第１の連携処理フローを実行するためのボタンを表示する第１の連携処理フローボタン表示手段とを備えることを特徴とする。
【手続補正３】
【補正対象書類名】明細書
【補正対象項目名】００１１
【補正方法】変更
【補正の内容】
【００１１】
上記目的を達成するために、請求項９記載の画像処理装置は、複数の処理を組み合わせて設定された処理フローを登録する処理フロー登録手段と、前記登録された処理フローに基づいて前記複数の処理を実行する実行手段とを備える画像処理装置において、前記処理フローの実行可否確認要求を受信する実行可否確認要求受信手段と、前記処理フローが自機で実行可能であるかを判定する判定手段と、前記判定手段により実行可能と判断された場合に、前記処理フローの実行可否確認要求の送信元に前記実行可能応答を送信する実行可能応答送信手段と、前記実行可否確認要求の送信元から自機で実行不可能な処理を含む連携処理フローを受信する処理フロー受信手段と、前記連携処理フローの実行指示を受信する実行指示受信手段と、前記連携処理フローを実行するためのボタンを表示するかどうかを判定するボタン表示判定手段と、前記ボタン表示判定手段により表示すると判定された場合に、前記連携処理フローを実行するためのボタンを表示する連携処理フローボタン表示手段と、前記ボタン表示判定手段により表示しないと判定された場合に、前記連携処理フローを実行する連携処理フロー実行手段とを備えることを特徴とする。
【手続補正４】
【補正対象書類名】明細書
【補正対象項目名】００１２
【補正方法】変更
【補正の内容】
【００１２】
上記目的を達成するために、請求項１２記載の画像処理装置の制御方法は、複数の処理を組み合わせて設定された処理フローを登録する処理フロー登録手段と、前記登録された処理フローに基づいて前記複数の処理を実行する実行手段とを備える画像処理装置の制御方法において、前記登録された処理フローの中に自機で実行不可能な処理が存在した場合に、前記処理フローの実行可否確認要求を他の画像処理装置に送信する実行可否確認要求送信工程と、前記処理フローの実行可否確認要求に対する実行可能応答を前記他の画像処理装置から受信する実行可能応答受信工程と、前記実行可能応答を送信した前記他の画像処理装置の中から前記処理フローの転送先を決定する転送先決定工程と、前記処理フローから、自機で実行可能な処理を含む第１の連携処理フローと、自機で実行不可能な処理を含む第２の連携処理フローとを生成する連携フロー生成工程と、前記転送先決定工程にて決定された転送先に前記第２の連携処理フローを転送する処理フロー転送工程と、前記第１の連携処理フローを実行するためのボタンを表示する第１の連携処理フローボタン表示工程とを備えることを特徴とする。
【手続補正５】
【補正対象書類名】明細書
【補正対象項目名】００１３
【補正方法】変更
【補正の内容】
【００１３】
上記目的を達成するために、請求項１３記載の画像処理装置の制御方法は、複数の処理を組み合わせて設定された処理フローを登録する処理フロー登録手段と、前記登録された処理フローに基づいて前記複数の処理を実行する実行手段とを備える画像処理装置の制御方法において、前記処理フローの実行可否確認要求を受信する実行可否確認要求受信工程と、前記処理フローが自機で実行可能であるかを判定する判定工程と、前記判定工程にて実行可能と判断された場合に、前記処理フローの実行可否確認要求の送信元に前記実行可能応答を送信する実行可能応答送信工程と、前記実行可否確認要求の送信元から自機で実行不可能な処理を含む連携処理フローを受信する処理フロー受信工程と、前記連携処理フローの実行指示を受信する実行指示受信工程と、前記連携処理フローを実行するためのボタンを表示するかどうかを判定するボタン表示判定工程と、前記ボタン表示判定工程にて表示すると判定された場合に、前記連携処理フローを実行するためのボタンを表示する連携処理フローボタン表示工程と、前記ボタン表示判定工程にて表示しないと判定された場合に、前記連携処理フローを実行する連携処理フロー実行工程とを備えることを特徴とする。
【手続補正６】
【補正対象書類名】明細書
【補正対象項目名】００１４
【補正方法】変更
【補正の内容】
【００１４】
上記目的を達成するために、請求項１４記載のプログラムは、複数の処理を組み合わせて設定された処理フローを登録する処理フロー登録手段と、前記登録された処理フローに基づいて前記複数の処理を実行する実行手段とを備える画像処理装置の制御方法をコンピュータに実行させるためのプログラムにおいて、前記登録された処理フローの中に自機で実行不可能な処理が存在した場合に、前記処理フローの実行可否確認要求を他の画像処理装置に送信する実行可否確認要求送信ステップと、前記処理フローの実行可否確認要求に対する実行可能応答を前記他の画像処理装置から受信する実行可能応答受信ステップと、前記実行可能応答を送信した前記他の画像処理装置の中から前記処理フローの転送先を決定する転送先決定ステップと、前記処理フローから、自機で実行可能な処理を含む第１の連携処理フローと、自機で実行不可能な処理を含む第２の連携処理フローとを生成する連携フロー生成ステップと、前記転送先決定ステップにて決定された転送先に前記第２の連携処理フローを転送する処理フロー転送ステップと、前記第１の連携処理フローを実行するためのボタンを表示する第１の連携処理フローボタン表示ステップとを備えることを特徴とする。
【手続補正７】
【補正対象書類名】明細書
【補正対象項目名】００１５
【補正方法】変更
【補正の内容】
【００１５】
上記目的を達成するために、請求項１５記載のプログラムは、複数の処理を組み合わせて設定された処理フローを登録する処理フロー登録手段と、前記登録された処理フローに基づいて前記複数の処理を実行する実行手段とを備える画像処理装置の制御方法をコンピュータに実行させるためのプログラムにおいて、前記処理フローの実行可否確認要求を受信する実行可否確認要求受信ステップと、前記処理フローが自機で実行可能であるかを判定する判定ステップと、前記判定ステップにて実行可能と判断された場合に、前記処理フローの実行可否確認要求の送信元に前記実行可能応答を送信する実行可能応答送信ステップと、前記実行可否確認要求の送信元から自機で実行不可能な処理を含む連携処理フローを受信する処理フロー受信ステップと、前記連携処理フローの実行指示を受信する実行指示受信ステップと、前記連携処理フローを実行するためのボタンを表示するかどうかを判定するボタン表示判定ステップと、前記ボタン表示判定ステップにて表示すると判定された場合に、前記連携処理フローを実行するためのボタンを表示する連携処理フローボタン表示ステップと、前記ボタン表示判定ステップにて表示しないと判定された場合に、前記連携処理フローを実行する連携処理フロー実行ステップとを備えることを特徴とする。